(57)【要約】【課題】コネクタハウジングに対するターミナルの保持力が大きいコネクタを提供することを目的とする。【解決手段】コネクタ１は、コネクタハウジング１０とこれに形成された圧入孔１７に収容されたターミナル２０とによって構成されている。ターミナル２０は、相手側ターミナルと嵌合するタブ部２１、タブ部２１から延在した基部２２、および基部２２の互いに対向する一対の側面上に圧入孔１７に圧入される圧入面２３が形成され、圧入面２３が形成された側面に直角な面に係合片２４が形成されている。係合片２４は、ターミナル２０の圧入方向とほぼ反対方向に突出し、ターミナル２０の圧入時に撓みながら圧入孔１７に圧入されて係止し、ターミナル２０に圧入方向と反対方向への外力が作用したときに、形状復帰して圧入孔１７に係合し、ターミナル２０がコネクタハウジング１０から抜け出ることを規制する。【選択図】  図２
2005026109.tif 000002
【特許請求の範囲】
【請求項１】
コネクタハウジング、およびターミナルを備え、
前記ターミナルは相手側ターミナルと嵌合するタブ部、前記タブ部から延在した基部、および前記基部上に形成され前記コネクタハウジングに圧入される圧入面を含んでいるコネクタにおいて、
前記ターミナルには、前記基部から前記ターミナルの圧入方向と略反対方向に突出し、前記ターミナルが前記コネクタハウジングに圧入される時に撓みながら前記コネクタハウジングと係止し、前記ターミナルに前記コネクタハウジングから圧入方向と反対方向に引き抜く方向への外力が作用したときに、撓みが形状復帰して前記コネクタハウジングに係合し、前記ターミナルの抜けることを規制する突起片が形成されたことを特徴とするコネクタ。
【請求項２】
前記基部はその圧入方向に垂直な断面が矩形状に形成され、前記圧入面は前記基部の互いに対向する一対の側面上に形成され、前記突起片は前記圧入面が形成された前記側面と異なる側の一側面に形成されたことを特徴とする請求項１記載のコネクタ。
【請求項３】
前記基部はその圧入方向に垂直な断面が矩形状に形成され、前記圧入面は前記基部の互いに対向する一対の側面上に形成され、前記圧入面が形成された前記一対の側面にそれぞれ前記突起片が形成されたことを特徴とする請求項１記載のコネクタ。
【発明の詳細な説明】
【０００１】
【発明の属する技術分野】
本発明は、コネクタハウジングに圧入されることによってコネクタハウジング内に収容されるターミナルを備えたコネクタに関する。
【０００２】
【従来の技術】
従来より、それぞれの側面に圧入方向に沿って複数個の圧入部位を形成して、その圧入部位をコネクタハウジングに圧入することによって固定するコネクタ用ターミナルがあった（例えば、特許文献１参照）。
【０００３】
【特許文献１】
特開平８−３２１３４２号公報（第１図および第３図）
【０００４】
【発明が解決しようとする課題】
一般に圧入部位を増やすことによって圧入によるターミナルのコネクタハウジングに対する保持力を増加させることができるが、ターミナルに圧入部位を増やすことによって、ターミナルの挿入力も大きくなるため、コネクタハウジングへの圧入が困難になる。また、ハウジングの圧入部の圧入方向の寸法にも制限があるため、ターミナルの一側面に多数の圧入部位を形成することは、ハウジングの大型化にもつながる。
【０００５】
本発明は上述のような事情に基づいて完成されたものであって、コネクタハウジングに対するターミナルの保持力が大きいコネクタを提供することを目的とする。
【０００６】
【課題を解決するための手段】
上述の目的を達成するための手段として、請求項１の発明は、コネクタハウジング、およびターミナルを備え、前記ターミナルは相手側ターミナルと嵌合するタブ部、前記タブ部から延在した基部、および前記基部上に形成され前記コネクタハウジングに圧入される圧入面を含んでいるコネクタにおいて、前記ターミナルには、前記基部から前記ターミナルの圧入方向と略反対方向に突出し、前記ターミナルが前記コネクタハウジングに圧入される時に撓みながら前記コネクタハウジングと係止し、前記ターミナルに前記コネクタハウジングから圧入方向と反対方向に引き抜く方向への外力が作用したときに、撓みが形状復帰して前記コネクタハウジングに係合し、前記ターミナルの抜けることを規制する突起片が形成されたことを特徴とするコネクタとした。
【０００７】
請求項２の発明は、前記基部はその圧入方向に垂直な断面が矩形状に形成され、前記圧入面は前記基部の互いに対向する一対の側面上に形成され、前記突起片は前記圧入面が形成された前記側面と異なる側の一側面に形成されたことを特徴とする請求項１記載のコネクタとした。
【０００８】
請求項３の発明は、前記基部はその圧入方向に垂直な断面が矩形状に形成され、前記圧入面は前記基部の互いに対向する一対の側面上に形成され、前記圧入面が形成された前記一対の側面にそれぞれ前記突起片が形成されたことを特徴とする請求項１記載のコネクタとした。
【０００９】
【発明の作用及び効果】
＜請求項１の発明＞
ターミナルがコネクタハウジングに圧入される時に、突起片が若干撓みながらコネクタハウジングに圧入されて係止し、ターミナルをコネクタハウジングから圧入方向と反対方向に引き抜くことによって、突起片の撓みが形状復帰してコネクタハウジングに係合するため、圧入時の挿入力が然程増えることがなく、コネクタハウジングに対するターミナルの保持力を増大できる。また、コネクタハウジング側に突起片と係合する凹部等を形成する必要がないため、製造の容易なコネクタとすることができる。
【００１０】
＜請求項２の発明＞
基部の圧入面が形成された側面と異なる側の一側面に突起片を形成したことにより、突起片とそれと係合する圧入孔の壁との位置関係を自由に設定でき、挿入力の増大を抑えることができる。また、突起片によって押圧されることによって、ターミナルがコネクタハウジングの圧入孔内において、突起片が係止する側と反対側の隅部に配置されるため、ターミナルの圧入孔内における位置精度を向上できる。
【００１１】
＜請求項３の発明＞
基部の圧入面が形成された一対の側面に、それぞれ突起片が形成されたことにより、圧入孔内において各々の突起片が双方の壁から押圧力を受けるため、ターミナルが圧入孔内の中心部にバランスよく配置される。
【００１２】
【発明の実施の形態】
＜第１実施形態＞
本発明の第１実施形態を図１乃至図４によって説明する。図１において、コネクタ１を構成するコネクタハウジング１０は合成樹脂材料によって一体に形成され、ターミナル２０が収容されている。コネクタハウジング１０は図示しない相手側コネクタと嵌合するフード部１１と、フード部１１に連結しターミナル２０が圧入されて収容されるターミナル収容部１２にて形成されている。以下、コネクタ１においては、フード部１１がある側を前方側とする。フード部１１の外周部の上下には、フード部１１を相手側コネクタに嵌合させるときに使用するロックレバー（図示せず）を、回動可能に装着する円柱状の枢支軸１３が形成されている。
【００１３】
フード部１１の枢支軸１３の後方には上述したロックレバーが、ロック前およびロック後にそれぞれ収容されるレバー収容部１４ａおよび１４ｂが形成されている（図１に上方側のもののみ示す）。ターミナル収容部１２の後方部には複数の係合部１５（図１に１つのみ示す）が突出しており、係合部１５から下方に向けて突部１６が立設されている。突部１６の下端部には径方向内方に撓み可能な抜止部１６ａが形成され、抜止部１６ａを図示しない電子回路基板に形成された装着孔に挿通させ、係合部１５の下面を電子回路基板に当接させて固定することによって、コネクタ１を電子回路基板に装着する。
【００１４】
ターミナル２０は、コネクタハウジング１０のターミナル収容部１２に後方から圧入されており、その後方部はＬ字状に折り曲げられて垂直部２６が形成されており、コネクタ１を電子回路基板に装着することによって、垂直部２６の下端部が電子回路基板の部品穴内に挿入されて、電子回路基板のパターン回路と半田づけ等によって電気的に接続される。
【００１５】
ターミナル２０は導電性の金属にて一体に形成され、図２に示すように、その前端部にはコネクタ１が相手側コネクタと嵌合した時に相手側ターミナルと嵌合するため、断面が略正方形の棒材にて形成されたタブ部２１が設けられている。タブ部２１の後方部には、タブ部２１と連結し軸方向に延びた平板状（圧入方向に垂直な断面が矩形状）の基部２２が形成されており、基部２２の互いに対向する一対の側面上には、コネクタハウジング１０に圧入される圧入面２３が形成されている。
【００１６】
また、基部２２の圧入面２３が形成された一対の側面と異なる側の一側面（圧入面２３に対して直角な面）には係合片２４が形成されている。係合片２４は本発明の突起片に該当するもので、図２および図３に示すように、プレス工程によって基部２２を台形状に一側に向けて切り起こすことによって、ターミナル２０のほぼ後方（図２において右方向）に向けて突出して形成されている。更に、図２に示すように圧入面２３の後方には、基部２２から半径方向外方であって互いに反対方向に突出した突出片によって構成され、ターミナル２０をコネクタハウジング１０に圧入するときに、図示しない端子圧入治具によって押圧される受部２５が形成されている。受部２５の後端部には、端子圧入治具が当接する押圧面２５ａが形成されている。
【００１７】
図３および図４に示すように、コネクタハウジング１０のターミナル収容部１２には、ターミナル２０の圧入面２３が圧入されるように、断面が長方形の圧入孔１７が前後方向に貫通しており、圧入孔１７の後方部には、受部２５が収容されるように受部収容部１８がターミナル収容部１２の後端面１２ａに開口している。
【００１８】
上述したターミナル２０をコネクタハウジング１０に圧入する場合、まず、コネクタハウジング１０の圧入孔１７に、後方からタブ部２１を挿入していく。その後、ターミナル２０に形成された受部２５の受面２５ａに、端子圧入治具を当接させてターミナル２０を前方（図３において左方向）に押動し、ターミナル２０の対向した一対の圧入面２３を圧入孔１７に圧入していく。圧入面２３の圧入孔１７に対する圧入が進行して、受部２５を押圧する端子圧入治具がターミナル収容部１２の後端面１２ａに当接することによって圧入を完了する。
【００１９】
係合片２４はターミナル２０の圧入方向とほぼ反対方向に突出して形成されているため、ターミナル２０を圧入孔１７に圧入する時、係合片２４は圧入孔１７の上壁から押圧されることによって、図３において下方に若干撓みながら、圧入孔１７に圧入される。圧入されたターミナル２０に、コネクタ１の後方（図３において右方向であって、ターミナル２０をコネクタハウジング１０から圧入方向と反対方向に引き抜く方向）に向けて外力が加わると、撓みながら圧入されていた係合片２４は圧入孔１７から前方に向けて力を受けるため、形状復帰して先端部が上方へ向き圧入孔１７の上壁と係合して突っ張る。従って、係合片２４はターミナル２０が圧入孔１７から抜け出ることを防ぎ、ターミナル２０のコネクタハウジング１０への保持力を増大させる。
【００２０】
上述した第１実施形態によれば、ターミナル２０がコネクタハウジング１０に圧入される時に、係合片２４が若干撓みながら圧入孔１７に圧入されて係止し、圧入後、ターミナル２０をコネクタハウジング１０から圧入方向と反対方向に引っ張ることによって、係合片２４の撓みが形状復帰して圧入孔１７に係合する。従って、圧入時の挿入力が然程増えることがなく、また、圧入後のコネクタハウジング１０に対するターミナル２０の保持力を増大できる。更に、圧入孔１７側に係合片２４と係合する凹部等を形成する必要がなく平坦なものでよいため、製造の容易なコネクタ１とすることができる。
【００２１】
係合片２４を基部２２の圧入面２３が形成された側面と異なる側の一側面に１つ形成したことにより、係合片２４と係合する圧入孔１７の上壁との位置関係を自由に設定でき、係合片２４の形成による挿入力の増大を最小限に抑えることができる。また、係合片２４によって押圧されることによって、ターミナル２０が圧入孔１７内において、係合片２４が係止する側と反対側の壁（図３において下壁）に当接するように配置されるため、ターミナル２０の圧入孔１７内における位置精度を向上できる。
【００２２】
＜第２実施形態＞
次に、本発明の第２実施形態を図５および図６によって説明する。本実施形態によるターミナル３０も第１実施形態のものと同様に、導電性の金属にて一体に形成され、図５に示すように、その前端部には相手側ターミナルと嵌合するためのタブ部３１が設けられている。タブ部３１の後方部には、タブ部３１と連結し軸方向に延びた平板状（圧入方向に垂直な断面が矩形状）の基部３２が形成されており、基部３２の互いに対向する一対の側面上には、コネクタハウジング１０に圧入される圧入面３３が形成されている。
【００２３】
また、基部３２の圧入面３３が形成された一対の側面上には、その後方部にそれぞれ抜止片３４が形成されている。抜止片３４は本発明の突起片に該当するもので、ターミナル３０のほぼ後方（図５において右方向）に向けて突出して形成されている。更に、図５に示すように圧入面３３の後方には、半径方向外方であって互いに反対方向に突出した突出片によって構成され、ターミナル３０をコネクタハウジング１０に圧入するときに、図示しない端子圧入治具によって押圧される受部３５が形成されている。受部３５の後端部には、端子圧入治具が当接する押圧面３５ａが形成されている。尚、図５において、ターミナル３０の後端部には第１実施形態と同様に、電子回路基板の部品穴に挿入される図示しない垂直部が形成されている。
【００２４】
上述したターミナル３０を第１実施形態と同様のコネクタハウジング１０に圧入する場合、まず、コネクタハウジング１０の圧入孔１７に、後方からタブ部３１を挿入していく。その後、ターミナル３０に形成された受部３５の受面３５ａに、端子圧入治具を当接させてターミナル３０を前方（図６において左方向）に押動し、ターミナル３０の対向した一対の圧入面３３を圧入孔１７に圧入していく。圧入面３３の圧入孔１７に対する圧入が進行して、端子３０の受部３５の前面が、受部収容部１８の圧入孔１７との接続部に形成された段部１８ａに当接すると、端子３０のコネクタハウジング１０への圧入が完了する。また、第１実施形態と同様に、受部３５を押圧する端子圧入治具が端子収容部１２の後端面１２ａに当接した時に圧入を完了するようにしてもよい。
【００２５】
抜止片３４はターミナル３０の圧入方向とほぼ反対方向に突出して形成されているため、ターミナル３０を圧入孔１７に圧入する時、圧入孔１７の側壁から押圧されることによって、内側に若干撓みながら圧入孔１７に圧入される。圧入されたターミナル３０に、コネクタ１の後方（図６において右方向であって、ターミナル３０をコネクタハウジング１０から圧入方向と反対方向に引き抜く方向）に向けて外力が加わると、撓みながら圧入されていた抜止片３４は圧入孔１７から前方に向けて力を受けるため、形状復帰して先端部が外方に開き圧入孔１７の側壁と係合して突っ張る。従って、抜止片３４はターミナル３０が圧入孔１７から抜け出ることを防ぎ、ターミナル３０のコネクタハウジング１０への保持力を増大させる。
【００２６】
上述した第２実施形態によれば、圧入面３３が形成された基部３２の一対の側面に、それぞれ抜止片３４が形成されたことにより、ターミナル３０をコネクタハウジング１０に圧入した時、圧入孔１７の一対の側壁から押圧されることによって、ターミナル３０を圧入孔１７内の中心部にバランスよく配置できる。
【００２７】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）第１実施形態において、基部の圧入面が形成された側面と異なる側の互いに対向する一対の側面に、それぞれ係合片を形成してもよい。
（２）本発明は、電子回路基板へ取付けるためのコネクタ以外にも適用可能である。
【図面の簡単な説明】
【図１】本発明によるコネクタの斜視図である。
【図２】第１実施形態によるターミナルの平面図である。
【図３】コネクタに第１実施形態によるターミナルを使用した場合の、図１のＡ−Ａ断面図の一部である。
【図４】図３の左側面図である。
【図５】第２実施形態によるターミナルの平面図である。
【図６】コネクタに第２実施形態によるターミナルを使用した場合の、図１のＢ−Ｂ断面図の一部である。
【符号の説明】
１…コネクタ
１０…コネクタハウジング
２０、３０…ターミナル
２１、３１…タブ部
２２、３２…基部
２３、３３…圧入面
２４…係合片
３４…抜止片
【図１】
2005026109.tif 000003
【図２】
2005026109.tif 000004
【図３】
2005026109.tif 000005
【図４】
2005026109.tif 000006
【図５】
2005026109.tif 000007
【図６】
2005026109.tif 000008